【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
少なくとも部分的に電動の自動車のエネルギー使用を管理する、コンピュータで実施される方法であって、
前記少なくとも部分的に電動の自動車の少なくとも１つのバッテリーの充電レベルを提供することと、
前記少なくとも部分的に電動の自動車の現在位置を提供することと、
前記少なくとも部分的に電動の自動車の前記現在位置及び前記少なくとも部分的に電動の自動車の前記少なくとも１つのバッテリーの前記充電レベルに基づき、前記少なくとも部分的に電動の自動車の理論最大走行距離を決定することと、
前記少なくとも部分的に電動の自動車の前記現在位置を含む地図及び前記少なくとも部分的に電導の自動車の前記理論最大走行距離を示す前記地図上の第１の境界を、自動車の表示装置に表示することと、
を含む、方法。
【請求項２】
基準点からの所定の距離である第２の境界を決定することであって、前記所定の距離は、前記少なくとも部分的に電動の自動車が前記基準点に行ってかつ戻ってくることができる最も遠い目的地である、決定することと、
前記第２の境界を前記地図上に表示することと
をさらに備える、請求項１に記載の方法。
【請求項３】
前記基準点が、前記少なくとも部分的に電動の自動車が前記少なくとも１つのバッテリーを充電するのに最も多くの時間を費やす地点、前記少なくとも電動の自動車のユーザの自宅、及び前記少なくとも電動の自動車のユーザの職場、のいずれから選択される、
請求項２に記載の方法。
【請求項４】
前記少なくとも部分的に電動の自動車のためのエネルギー計画と、
目的地又は基準点に対する１つ以上の経路と、
前記少なくとも１つのバッテリーが整備されうる前記１つ以上のルート内の１つ以上のバッテリー整備ステーションと、を作成することをさらに含み、
前記バッテリーステーションが該自動車の前記１つ以上のバッテリーを充電する少なくとも１つの充電ステーション及び該自動車の消費されたバッテリーを交換する少なくとも１つのバッテリー交換ステーションを含む、
請求項１に記載の方法。
【請求項５】
少なくとも部分的に電動の自動車のエネルギー使用を管理する、コンピュータで実施される方法であって、
前記少なくとも部分的に電動の自動車の少なくとも１つのバッテリーの充電レベルを提供することと、
前記少なくとも部分的に電動の自動車の現在位置を提供することと、
前記少なくとも部分的に電動の自動車の前記現在位置及び前記少なくとも部分的に電動の自動車の前記少なくとも１つのバッテリーの前記充電レベルに基づき、前記少なくとも部分的に電動の自動車の理論最大走行距離を決定することと、
前記少なくとも部分的に電動の自動車のためのエネルギー計画を作成することと、を含み、
前記エネルギー計画が、
目的地又は基準点に対する１つ以上の経路と、
前記少なくとも１つのバッテリーが整備されうる前記１つ以上のルート内の１つ以上のバッテリー整備ステーションと、を含む、
方法。
【請求項６】
前記少なくとも部分的に電動の自動車のための前記エネルギー計画の作成が、
前記理論最大走行距離に基づき、前記少なくとも部分的に電動の自動車が、前記目的地又は基準点に関連付けられた所定の場所に到達可能かどうか、を判定することと、
前記少なくとも部分的に電動の自動車が前記目的地に到達可能であるとの同定に基づき、前記少なくとも部分的に電動の自動車の前記現在位置から前記目的地までの経路を作成し、該経路を前記エネルギー計画に追加し、
前記少なくとも部分的に電動の自動車が前記所定の場所に到達不能であるとの判定に応答して、前記少なくとも部分的に電動の自動車の前記少なくとも１つのバッテリーが整備されうる、前記少なくとも部分的に電動の自動車の前記理論最大走行距離内の１つ以上のバッテリーサービスステーションを判定し、前記１つ以上のバッテリーサービスステーションを前記エネルギー計画に加えることと
を含む、請求項４又は５に記載の方法。
【請求項７】
前記１つ以上のバッテリーサービスステーションを前記エネルギー計画に加えた後、前記少なくとも部分的に電動の自動車の前記少なくとも１つのバッテリーを整備するための前記バッテリーサービスステーションでの時間を予定することをさらに含み、前記予定が、前記自動車が前記少なくとも１つのバッテリーステーションに到達するであろう予想時間に基づくものである、
請求項８に記載の方法。
【請求項８】
前記所定の場所が、
ユーザが特定した目的地と、
バッテリーサービスステーションと、
ユーザプロファイルに基づき決定される目的地と、
ユーザプロファイルデータ集合体に基づき決定される目的地と、
前記ユーザの自宅と、
前記ユーザの職場と、
前記少なくとも部分的に電動の自動車が充電される場所と、
から選択される、請求項６又は７に記載の方法。
【請求項９】
前記少なくとも部分的に電動の自動車の前記現在位置から前記１つ以上のバッテリー整備ステーションまでの１つ以上の経路を作成することと、
前記１つ以上の経路を前記エネルギー計画に加えることと、
をさらに備える請求項６に記載の方法。
【請求項１０】
前記少なくとも１つのバッテリーが前記バッテリーサービスステーションにおいて整備されることを考慮して、前記少なくとも部分的に電動の自動車の前記理論最大走行距離を決定することと、
前記バッテリーサービスステーションから、前記理論最大走行距離に基づき、前記少なくとも部分的に電動の自動車が前記所定の場所に到達するであろうかどうか判定することと、
前記少なくとも部分的に電動の自動車が前記所定の場所に到達しないであろうことの同定に基づき、前記エネルギー計画における前のバッテリーサービスステーションの理論最大走行距離内にある次のバッテリーサービスステーション及び前記所定の場所への経路を決定し、前記次のバッテリーサービスステーションを前記エネルギー計画に加えることと、
前記少なくとも部分的に電動の自動車の前記現在位置から前記目的地までの、前記エネルギー計画における前記１つ以上のバッテリーサービスステーションへの１回以上の立ち寄りを含む経路を作成することと、
前記経路を前記エネルギー計画に追加することと、
前記所定の場所が到達可能になるまで、請求項１０の動作を繰り返すことと、
をさらに含む、請求項６に記載の方法。
【請求項１１】
前記理論最大走行距離が、
前記ユーザのプロファイルと、
前記少なくとも部分的に電動の自動車の少なくとも１つの電気モータの特性と、
道路が位置する地形の種類と、
前記少なくとも部分的に電動の自動車の速度と、
上述の要素の任意の組合せと、
に少なくとも部分的に基づく、請求項１又は５に記載の方法。
【請求項１２】
前記エネルギー計画に基づいて案内を提供することをさらに含み、
前記案内が、
視覚案内と、
音声案内と、
上述の案内の任意の組合せと、から選択される、
請求項４又は５に記載の方法。
【請求項１３】
前記エネルギー計画が未だ有効であるか定期的に判定することと、をさらに含む、請求項４又は５に記載の方法。
【請求項１４】
前記少なくとも部分的に電動の自動車から遠隔にあるコンピュータシステムにおいて、前記コンピュータシステムが、１つ以上のプロセッサと、１つ以上のプログラムを記憶するメモリとを備え、前記１つ以上のプロセッサが前記１つ以上のプログラムを実行して、    前記少なくとも部分的に電動の自動車の前記少なくとも１つのバッテリーを整備する要請を受信することと、
前記要請に応答して、前記少なくとも部分的に電動の自動車の前記少なくとも１つのバッテリーを整備する整備計画を作成することと、
を行う、請求項１又は５に記載の方法。
【請求項１５】
少なくとも部分的に電動の自動車のエネルギー使用を管理するためのシステムであって、
１つ以上のプロセッサと、
メモリと、
前記メモリに記憶された１つ以上のプログラムであって、
前記少なくとも部分的に電動の自動車の少なくとも１つのバッテリーの充電レベルを受信する命令と、
前記少なくとも部分的に電動の自動車の現在位置を受信する命令と、
前記少なくとも部分的に電動の自動車の理論最大走行距離を、前記少なくとも部分的に電動の自動車の前記現在位置及び前記少なくとも部分的に電動の自動車の前記少なくとも１つのバッテリーの前記充電レベルに基づき決定する命令と、
前記理論最大走行距離に基づいて、目的地又は基準点に対する１つ以上の経路及び前記少なくとも１つのバッテリーが前記１つ以上の経路において整備されうる１つ以上のバッテリーサービスステーションを含む、前記少なくとも部分的に電動の自動車のためのエネルギー計画を作成する命令と、
を含むプログラムと、
を備えるシステム。
【請求項１６】
コンピュータによって実行されるよう構成された１つ以上のプログラムを記憶するコンピュータ可読記憶媒体であって、
前記１つ以上のプログラムが、
自動車の少なくとも１つのバッテリーの充電レベルを受信する命令と、
前記自動車の現在位置を受信する命令と、
前記自動車の理論最大走行距離を、前記自動車の前記現在位置及び前記自動車の前記少なくとも１つのバッテリーの前記充電レベルに基づき決定する命令と、
前記理論最大走行距離に基づいて、目的地又は基準点に対する１つ以上の経路及び前記少なくとも１つのバッテリーが前記１つ以上の経路において整備されうる１つ以上のバッテリーサービスステーションを含む、前記自動車のためのエネルギー計画を作成する命令と、
を含む、コンピュータ可読記憶媒体。